(57)【要約】【課題】  記録媒体にある画像データを印刷すると共に、画像データを印刷した裏面に例えば葉書の書式情報などの所定の情報が印刷された状態でユーザに提示できるプリント装置を提供する。【解決手段】  記録媒体２１の画像データを取り込むデータ取込部１２と、取り込んだ画像データを加工するデータ加工部１３と、加工した画像データを印刷する印刷部１４を備え、印刷部１４のシート収納部１４ａに、葉書として必要な情報が印刷されたシート１０１を収納する。シート１０１の裏面は鉛筆やインクで文字を記入できる素材で構成する。制御部１５により入出力部１１にユーザに操作情報を表示してユーザからの操作に応じて記録媒体２１に格納してある画像データを選択して、選択した画像データとユーザから入力された文字などの情報とをデータ加工部１３で加工して調整を行い、印刷部１４によりシート１０１の表面に印刷して排出する。【選択図】  図１
2005329575.tif 000002
【特許請求の範囲】
【請求項１】
記録媒体から画像データを取り込んで印刷するプリント装置において、
上記記録媒体から画像データを取り込むデータ取込部と、
上記データ取込部で取り込んだ画像データを、所定の情報が裏面に印刷されたシートの表面に印刷する印刷部と、を備えることを特徴とする、プリント装置。
【請求項２】
前記所定の情報は、郵便番号枠、宛名欄と通信文書との境界線、切手貼付欄又はその他の葉書として必要な情報であることを特徴とする、請求項１に記載のプリント装置。
【請求項３】
さらに、前記印刷部で前記シートの裏面に印刷する料金別納表示マークをデータとして格納する情報格納部か、切手を前記シートの裏面に貼り付ける切手貼付部かの何れかを備えることを特徴とする、請求項１又は２に記載のプリント装置。
【請求項４】
前記印刷部で印刷が施されるシートは、筆記及び／又は印刷できる素材で構成されていることを特徴とする、請求項１〜３の何れかに記載のプリント装置。
【請求項５】
さらに、前記データ取込部で前記記録媒体から取得したデータを加工し前記印刷部に加工したデータを出力して前記シートの裏面に印刷させるデータ加工部を備えることを特徴とする、請求項１〜４の何れかに記載のプリント装置。
【請求項６】
記録媒体から画像データを取り込んで印刷するプリント装置において、
上記記録媒体から画像データを取り込むデータ取込部と、
上記データ取込部で取り込んだ画像データを、無地のシートに印刷する印刷部と、
上記印刷部で印刷が施されるシートに貼り付けるシールと、
このシールを格納するシール格納部とを備えることを特徴とする、プリント装置。
【請求項７】
前記シール格納部に格納されたシールには所定の情報が印刷されているか、前記印刷部で印刷されることを特徴とする、請求項６に記載のプリント装置。
【請求項８】
前記所定の情報は、郵便番号枠、宛名欄と通信文書との境界線、切手貼付欄又はその他の葉書として必要な情報であることを特徴とする、請求項７に記載のプリント装置。
【請求項９】
さらに、前記印刷部で前記シールの表面に印刷する料金別納表示マークをデータとして格納する情報格納部か、切手を前記シールの表面に貼り付ける切手貼付部かの何れかを備えることを特徴とする、請求項６〜８の何れかに記載のプリント装置。
【請求項１０】
前記シール格納部に格納されているシールは、該シールの表面が筆記及び／又は印刷できる素材で構成されていることを特徴とする、請求項６〜９の何れかに記載のプリント装置。
【請求項１１】
さらに、前記データ取込部で前記記録媒体から取得したデータを加工し前記印刷部に加工したデータを出力して前記シールに印刷させるデータ加工部を備えることを特徴とする、請求項６〜１０の何れかに記載のプリント装置。
【請求項１２】
前記印刷部は、葉書サイズにカットされたシートか、印刷の前後で葉書サイズにカットされるロール状のシートかの何れかを収納したシート収納部を備えることを特徴とする、請求項１〜１１の何れかに記載のプリント装置。
【請求項１３】
前記記録媒体は、カメラ付携帯電話、携帯電話その他の情報通信端末、デジタルカメラその他の撮像機器に収納されているか、又は、それらに脱着できるかの何れかであることを特徴とする、請求項１〜１２の何れかに記載のプリント装置。
【発明の詳細な説明】
【技術分野】
【０００１】
本発明は、例えばカメラ付携帯電話やデジタルカメラなどに格納されている画像データを取り込み、この画像データを印刷するプリント装置に関し、詳しくは、ケーブル接続でのデータ通信、ワイヤレスでのメール送受信や赤外線通信、またメモリカードから画像データの直接の読み取りなどにより、カメラ付携帯電話やデジタルカメラなどに格納されている画像データを取り込んで、該画像データをそのまま、又は、各種編集を経てプリントするプリント装置に関するものである。
【背景技術】
【０００２】
カメラ付携帯電話やデジタルカメラで写した画像をその場ですぐにプリントアウトしたいというユーザのニーズに応えるために、カメラ付携帯電話やデジタルカメラに格納されている画像データを取り込み、その場で、この画像データをプリント可能な画像プリント装置がある（非特許文献１参照）。この画像プリント装置は、主に、観光地、ホテル、アミューズメント施設、ゲームセンター、披露宴会場といった結婚式場などに設置されている。このように写した画像をその場ですぐにプリントアウトしたいというニーズに加え、更に、写したその場で印刷した画像写真を、簡単に郵便などで送付したいというニーズがある。
【０００３】
【非特許文献１】ロジ・コンビニエンス株式会社、“ぱしゃプリン”［online］、［平成１６年５月１８日検索］、インターネット＜URL:http//www.logi-cv.com/pasyaprin/pasya.htm ＞
【発明の開示】
【発明が解決しようとする課題】
【０００４】
前述した画像プリント装置で出力した写真を郵送で発信するには、画像写真の裏面に宛名や住所を直接記入したり、また、封筒に入れて送ったりすることになる。しかしながら、切手や封筒を購入する必要があり、簡単にしかも直ちに送付したいというニーズに必ずしも応えられていない。すなわち、郵便局等の切手販売所まで移動して切手を入手したり、封筒を購入することは、時間的にロスであり、また、写真の裏面に直接宛名書き等を行おうとしても、筆記用具で記入が出来ないような加工がされている場合には、裏面に記入することができない。
【０００５】
そこで、本発明は、記録媒体に格納してある画像データを印刷するとともに、画像データを印刷した裏面に例えば葉書の書式情報といった所定の情報が印刷された状態で、又は実質的に印刷された状態と同じ状態を、ユーザに提示できるプリント装置を提供することを目的とする。
【課題を解決するための手段】
【０００６】
上記目的を達成するために、本発明の第１の構成は、記録媒体から画像データを取り込んで印刷するプリント装置において、記録媒体から画像データを取り込むデータ取込部と、データ取込部で取り込んだ画像データを、所定の情報が裏面に印刷されたシートの表面に印刷する印刷部と、を備えることを特徴とする。この構成により、所定の情報と画像データがそれぞれ印刷されたシートが提供されるので、ユーザはこのシートを即座に利用することができる。
【０００７】
所定の情報は、好ましくは、郵便番号枠、宛名欄と通信文書との境界線、切手貼付欄又はその他の葉書として必要な情報である。これにより、シートには郵便番号枠などの葉書として必要な情報が印刷されているので、ユーザの利便性を高めることができる。
【０００８】
好ましくは、さらに、印刷部でシートの裏面に印刷する料金別納表示マークをデータとして格納する情報格納部か、切手をシートの裏面に貼り付ける切手貼付部かの何れかを備えることを特徴とする。これにより、料金別納マークが印刷されたり切手が貼り付けられた状態でシートが提供されるので、ユーザは切符を別途購入したり郵送料金を別途支払ったりする必要がなく、ユーザの利便性を高めることができる。
【０００９】
印刷部で印刷が施されるシートは、好ましくは、筆記及び／又は印刷できる素材で構成されている。これにより、ユーザはシートに筆記したり印刷を施したりすることができ、ユーザの利便性を高めることができる。
【００１０】
好ましくは、さらに、データ取込部で記録媒体から取得したデータを加工し印刷部に加工したデータを出力してシートの裏面に印刷させるデータ加工部を備える。この構成により、ユーザは記録媒体から取得したデータをシートに印刷させることができるので、ユーザの利便性を高めることができる。
【００１１】
本発明の第２の構成は、記録媒体から画像データを取り込んで印刷するプリント装置において、記録媒体から画像データを取り込むデータ取込部と、データ取込部で取り込んだ画像データを、無地のシートに印刷する印刷部と、印刷部で印刷が施されるシートに貼り付けるシールと、このシートを格納するシール格納部とを備えることを特徴とする。この構成により、画像データが印刷されたシートとシートの裏面に貼り付けるシールを提供できるので、ユーザはシートの裏面にシールを貼り付けることで、シートの裏面が如何なる材質であっても、シートの裏面を有効利用できる。
【００１２】
シール格納部に格納されたシールには好ましくは、所定の情報が印刷されているか、印刷部で印刷される。この構成により、既にシールの表面には所定の情報が印刷されているので、ユーザは敢えてその情報を記入したりする必要がなく、ユーザの利便性を高めることができる。
【００１３】
所定の情報は、好ましくは、郵便番号枠、宛名欄と通信文書との境界線、切手貼付欄その他の葉書として必要な情報である。この構成により、シールには郵便番号枠などの葉書として必要な情報が印刷されているので、ユーザの利便性を高めることができる。
【００１４】
好ましくは、さらに、印刷部でシールの表面に印刷する料金別納表示マークとして格納する情報格納部か、切手をシールの表面に貼り付ける切手貼付部かの何れかを備える。これにより、料金別納マークが印刷されたり切手が貼り付けられた状態でシートが提供されるので、ユーザは切符を別途購入したり郵送料金を別途支払ったりする必要がなく、ユーザの利便性を高めることができる。
【００１５】
シール格納部に格納されているシールは、好ましくは、シールの表面が筆記及び／又は印刷できる素材で構成されている。これにより、ユーザはシートに筆記したり印刷を施したりすることができ、ユーザの利便性を高めることができる。
【００１６】
さらに好ましくは、データ取込部で記録媒体から取得したデータを加工し印刷部に加工したデータを出力してシールに印刷させるデータ加工部を備える。これによりユーザは、記録媒体から取得したデータをシートに印刷できるので、ユーザの利便性を高めることができる。
【００１７】
印刷部は、葉書サイズにカットされたシートか、印刷の前後で葉書サイズにカットされるロール状のシートかの何れかを収納したシート収納部を備えていてもよい。これにより、シートが予め葉書サイズで提供されるので、ユーザはシートの大きさを調整する必要がなく、ユーザの利便性を高めることができる。また、葉書サイズとすることで、多くの人が慣れ親しみやすく、利用しやすい大きさで提供できる。
【００１８】
記録媒体は、好ましくは、カメラ付携帯電話、携帯電話その他の情報通信端末、デジタルカメラその他の撮像機器に収納されているか、又は、それらに脱着できるかの何れかである。これにより、情報通信端末や撮像機器で撮影などして格納されている画像データを直ちに印刷できるようになる。したがって、各種の記録媒体に対応でき、ユーザの利便性を高めることができる。
【発明の効果】
【００１９】
本発明によれば、画像データを印刷でき、しかもこの印刷したシートには所定の情報、例えば葉書の書式が印刷された状態でユーザに提供することができる。また、画像データをシートに印刷し、そのシートに貼り付けるシールをも同時に提供できる。このため、そのシールに所定の情報、例えば葉書の書式が印刷された状態でユーザに提供することで、ユーザはシールをシートに貼り付けることができる。
これにより、本発明に係るプリント装置を、観光スポットやホテルのロビーや披露宴会場などの結婚式場や遊園地などのアミューズメント施設などの他、郵便局や写真屋やコンビニエンスストア、写真現像受付場所、各種電気店など各種の施設等に設置することで、利用者の多様なニーズに応じることができる。例えば、写した画像をその場ですぐに印刷でき、更にその場の画像写真を簡単に「写真はがき」として送付可能な形態にして、ユーザに提供できる。
【発明を実施するための最良の形態】
【００２０】
以下、添付図面を参照しつつ発明を実施するための最良の形態につき説明する。各図において同一又は対応する部材には同一符号を用いる。
（第１の実施形態）
図１は、本発明の第１の実施形態に係るプリント装置１０の機能ブロック図である。プリント装置１０は、図１に示すように、ユーザに対して操作情報を表示して、ユーザからの操作入力を受ける入出力部１１と、記録媒体２１に格納されている画像データを取り込むデータ取込部１２と、データ取込部１２で取り込んだ画像データを印刷サイズ、すなわち印刷を施されるシートの大きさに合うように加工するデータ加工部１３と、データ取込部１２で取り込んだ画像データを必要に応じてデータ加工部１３を経由して印刷する印刷部１４とを備えている。また、プリント装置１０は、入出力部１１、データ取込部１２、データ加工部１３及び印刷部１４などプリント装置１０の内部制御を行う制御部１５を備えている。
【００２１】
ここで、データ取込部１２は、ＵＳＢ（Ｕｎｉｖｅｒｓａｌ  Ｓｅｒｉａｌ  Ｂｕｓ）ケーブルなどのケーブル類で外部機器、例えば情報通信端末２０と接続して情報通信端末２０の記録媒体２１内に格納されている画像データを取り込めるように通信インタフェースを備える。また、ケーブル接続によらず例えばメール送受信機能や赤外線通信機能を備えていて、ワイヤレスで情報通信端末２０の記録媒体２１内に格納されている画像データを取り込むようにしてもよい。また、情報通信端末２０に脱着されるメモリカードのようなメモリ装置をデータ取付部１２に直接装着して、直接メモリ装置に記憶されている画像データを読み取るようにしてもよい。
よって、データ取込部１２で読み取られる画像データは、携帯電話やＰＤＡ（Ｐｅｒｓｏｎａｌ  Ｄｉｇｉｔａｌ  Ａｓｓｉｓｔａｎｔ）などの情報通信端末２０内に格納されていたり、またデジタルカメラなどの撮像装置に格納されていてもよく、また情報通信端末２０や撮像装置に脱着されるメモリ装置に格納されていてもよい。
図１に示した形態では、情報通信端末２０内の記録媒体２１、例えば内部メモリに画像データが格納されている場合を示している。また、この情報通信端末２０はカメラ付携帯電話を想定して示しており、情報通信端末２０にはメール送受信機能が備えられていて、情報通信端末２０の所有者の氏名や住所、通話相手先の氏名や住所などの個人情報が記録媒体２１に格納される。
【００２２】
入出力部１１は、例えばタッチパネル画面で構成されており、タッチパネル画面に表示された各種操作情報から選択して操作入力を行うことができ、また、テンキーなどのキーを備えても良い。タッチパネル画面などの画面に表示される操作情報などは制御部１５により表示制御されて、入出力部１１にユーザから手入力された命令は、制御部１５に入力されて、プリント装置１０内の各部に対してそれぞれ命令を出力する。
【００２３】
印刷部１４は、データ加工部１３を必要により介して、データ取込部１２で取り込んだ画像データを印刷して出力する。つまり、データ取込部１２で取り込んだ画像データをそのまま印刷したり、必要な加工をデータ加工部１３で行って加工済みの画像データを印刷してもよい。印刷部１４には、シート収納部１４ａが備えられている。
【００２４】
図２（ａ）及び（ｂ）は、シート収納部１４ａに収納されるシートの各形態を示した図である。シート収納部１４ａは、図２（ａ）に示すように、所定のサイズ、好ましくは葉書サイズに予めカットされたシート１０１か、図２（ｂ）に示すように、ロール状のシート１００かの何れかを収納したシート収納部１４ａを備える。図２（ｂ）に示すように、ロール状のシート１００は、印刷部１４内で印刷の前後において所定のサイズにカットされて、所定のサイズのシート１０１に切断される。図２に示したロール状に巻かれたシート１００の場合には、葉書サイズの幅となるよう予め幅だけはサイズ調整されているのが好ましい。また、シート収納部１４ａに収納されるシート１００, １０１は、好ましくは、シート１００，１０１の両面または裏面がボールペンやインクなどで文字や図形や絵などを記入したり印刷してもにじまないで定着できる素材でできていることが好ましい。また、シート収納部１４ａには、シート１００，１０１の裏面に所定の情報が印刷されているシート１００，１０１と、シート１００，１０１の両面が無地のシート１００，１０１の双方を収納しておくことが好ましい。ここで、所定の情報としては、例えば、郵便番号枠、宛名欄と通信文書との境界線、切手貼付欄又はその他の葉書として必要な情報を挙げることができる。
【００２５】
また、図１には示さないが、プリント装置１０には、プリント装置１０によるサービス料の投入を受ける硬貨投入口や紙幣挿入口、お釣りを返却するための硬貨返却口や紙幣返却口を備えている。また、印刷部１４で印刷されたシート１０１を排出する排出口を備えている。
【００２６】
以上のように構成されたプリント装置１０による利用形態について、情報通信端末２０としてのカメラ付携帯電話に格納されている画像データを印刷する場合を例にとって説明する。
図３は、第１の形態に係るプリント装置１０の利用形態を示すフロー図である。先ず、プリンタ装置１０のデータ取込部１２に対して、情報通信端末２０内の記録媒体２１に格納されている画像データを取り込む（ＳＴ１０１）。このとき、入出力部１１は制御部１５からの表示命令により、入出力部１１の画面に記録媒体２１の種類や取込方式に関するメニューを表示して、例えば、ＵＳＢケーブルによるか、赤外線通信によるか、メール送信によるか、メモリ装置によるかなどのメニューから選択できるようにする。
次に、ＳＴ１０１で取り込んだ画像データのうち、印刷する画像データを選択させる。すなわち、入出力部１１の画面にＳＴ１０１で取り込んだ画像データを表示してユーザに選択させる。そして、制御部１５は選択された画像データをデータ加工部１４に送り、所定のサイズ、例えば葉書サイズになるように大きさを調整する（ＳＴ１０２）。このとき、選択された画像データ上に貼り付ける文字や絵などの図などを入出力部１１でユーザに入力させることにより、この入力された情報もデータ加工部１４に送ることで、印刷する画像データの加工を行うこともできる。
次に、制御部１５は、画像データを印刷するシート１０１の裏面に、所定の情報、例えば葉書の書式が印刷されていることを希望するか否か（宛名面の要否）の確認表示を、入出力部１１の画面に対して行い、ユーザからの入力を待つ（ＳＴ１０３）。
【００２７】
ここで、葉書の書式が必要という入力が入出力部１１に対してなされると（ＳＴ１０３で要）、制御部１５は、印刷するシート１０１の種類を特定して、データ加工部１３で加工済みの画像データを印刷するように、印刷部１４に対して命令する。この命令を受けた印刷部１４は、シート１０１の裏面に所定の情報、いまの場合葉書の書式が印刷されているシート（宛名面印刷のシート）１０１に、データ加工部１３により加工済みの画像データを印刷する（ＳＴ１０４）。
次に、制御部１５は、画像データを印刷したシート１０１の裏面に、例えば宛名面に、受取人や差出人の氏名や住所を印刷するか否かの確認表示を入出力部１１に対して行う（ＳＴ１０５）。
【００２８】
ＳＴ１０５でユーザから入出力部１１に対して印刷する旨の入力があると（ＳＴ１０５で有）、制御部１５は、ＳＴ１０１と同様に、入出力部１１に対し記録媒体２１の種類と取込方式に関するメニューを表示するように命令して、入出力部１１の画面に表示された、例えばＵＳＢケーブルによるか、赤外線通信によるか、メール送信によるか、メモリ装置によるかなどのメニューからユーザに選択させるとともに、ユーザに対して、情報通信端末２０内の記録媒体２１内に格納されている個人情報を、データ取込部１２に対して送信などさせるようにする。
また、制御部１５は同時に、データ取込部１２に対して、情報通信端末２０内の記録媒体２１に格納されている個人情報を取り込むよう指示する。このとき、個人情報のうち、どの人に関する情報を印刷するか、例えば、受取人の住所及び氏名と差出人の住所及び氏名と郵便番号とを順次確定しながら、情報通信端末２０内の記録媒体２１からデータ取込部１２に送信するようにすることが好ましい（ＳＴ１０６）。
そして、制御部１５は、データ取込部１２が受け取った各個人情報を、裏面にどの様に印刷するかをデータ加工部１３に調整させ、必要に応じて入出力部１１の画面にイメージ表示させてユーザの了解を得るようにする。
その後、制御部１５は、データ加工部１３で加工されて調整された各個人情報を、印刷部１５で、シート１０１の裏面、すなわち、葉書の書式が印刷された面に印刷させ（ＳＴ１０７）、プリント装置１０に設けられた排出口に印刷後のシート１０１を排出する（ＳＴ１０８）。ユーザは排出口に排出されたシート１０１を取り出して、切手をシートに貼り付けるなどしてポストなどの郵便受付に差し出すことができる。
【００２９】
一方、ＳＴ１０５でユーザから入出力部１１に対して印刷しない旨の入力があると（ＳＴ１０５で無）、制御部１５は、ＳＴ１０４により印刷部１５で印刷したシート１０１をプリント装置１０の排出口に排出する。すると、ユーザは排出口に排出されたシート１０１を取り出し、シート１０１の裏面に受取人、差出人の住所や氏名、郵便番号などを筆記用具で記入し、切手をシートに貼るなどしてポストなどの郵便受付に差し出すことができる。
図４は、ＳＴ１０５で無の場合に、排出口に排出されるシートを模式的に示した図で、（ａ）はシートの表面、（ｂ）はシートの裏面を示した図である。図４に示すように、この場合、排出されるシートは、その表面１０２ａには画像データが印刷されており（図ではこの画像データそのものは示していない。）、裏面１０２ｂには郵便番号枠や切手貼付欄や宛名欄と通信文書欄との境界線が印刷されている。
【００３０】
また、ＳＴ１０３で葉書の書式は不要という入力が入出力部１１に対してなされると（ＳＴ１０３で不要）、制御部１５は、印刷するシート１０１の種類を特定して、データ加工部１３で加工済みの画像データを印刷して排出口から排出するように、印刷部１４に対して命令する。この命令を受けた印刷部１４は、無地のシート１０１に、データ加工部１３で加工済みの画像データを印刷して（ＳＴ１０９）、排出口から排出する。
【００３１】
以上のように、情報通信端末２０内の記録媒体２１に記録された画像データを所定の大きさに印刷でき、またシート１０１の裏面に例えば葉書の書式を印刷した状態で排出させることにより、一種の絵葉書を提供することができる。また、シート１０１の裏面に差出人の住所及び氏名と受取人の住所及び氏名と郵便番号とを印刷させることで、切手を所定の欄に貼り付けるなどして、直ちに送付できる形態でユーザに提供することができる。
なお、図３のフローは一例に過ぎず、ＳＴ１０１〜ＳＴ１０４及びＳＴ１０９と、ＳＴ１０５〜ＳＴ１０７との前後を逆にして、シート１０１の裏面に個人情報を印刷した後に、シート１０１の表面に画像データを印刷するようにしてもよい。
【００３２】
（第２の実施形態）
以上の説明した第１の形態を変更して第２の形態とすることもできる。
図５は、第２の形態に係るプリント装置３０の機能ブロック図である。なお、図１に示したものと同一又は同質のものには同一の符号を付して、その説明を省略する。
プリント装置３０では、図１に示したプリント装置１０の機能ブロックに加えて、情報格納部１６と切手貼付部１７とを備えている。情報格納部１６は、例えば、プリント装置１０で印刷して排出されたシート１０１をそのままポストなどの郵便受付に差し出せるように、郵便番号枠、宛名欄と通信文書欄との境界線として例えば波線など、絵葉書の裏面に印刷されているような、葉書に関する情報を所定の形式に則って印刷できるようにデータとして格納している。これにより、印刷部１４のシート収納部１４ａには、無地のシート１００，１０１のみを収納しておけばよい。また、料金別納表示マーク、すなわち、印刷部１４により印刷出力されたものの重さに対応して送付料金が別納で支払われていることを示すマークなどもデータとして格納してもよい。切手貼付部１７は、各種の切手を格納しており、印刷部１４で宛名面や差出人などの情報を印刷した場合に、シート１０１の裏面の規定の位置に切手を貼り付ける。
【００３３】
次に、以上のように構成されたプリント装置３０の利用形態について、第１の形態と同様に、情報通信端末２０としてのカメラ付携帯電話に格納されている画像データを印刷する場合を例にとって説明する。
図６は、第２の形態に係るプリント装置３０の利用形態を示すフロー図である。
先ず、制御部１５は、入出力部１１に宛名面の必要か否かの確認表示をさせて、ユーザからの入力を待つ（ＳＴ２０１）。ユーザから宛名面が必要である旨の入力があると（ＳＴ２０１で要）、制御部１５は、情報格納部１６に格納されている葉書に関する情報を取得しつつ（ＳＴ２０２）、入出力部１１に宛名の印刷の有無の確認表示をさせて、ユーザの判断の入力を待つ（ＳＴ２０３）。
ユーザから宛名を印刷する旨の入力があると（ＳＴ２０３で有）、ＳＴ１０６と同様にして、制御部１５は、データ取込部１２に、情報通信端末２０内の記録媒体２１から個人情報を取り込ませる（ＳＴ２０４）。
そして、制御部１５は、ＳＴ２０４で取り込んだ個人情報とＳＴ２０２で取得した葉書に関する情報とをデータ加工部１３で調整して加工して（ＳＴ２０５）、印刷部１４で無地のシート１０１の裏面に印刷させる（ＳＴ２０６）。
その後、制御部１５は、ＳＴ１０１と同様にして、プリンタ装置１０のデータ取込部１２に、情報通信端末２０内の記録媒体２１に格納されている画像データの取り込みをさせ（ＳＴ２０７）、ＳＴ１０２と同様にして、ＳＴ２０７で取り込んだ画像データのうち、印刷する画像データを選択させ、選択された画像データをデータ加工部１３に送り、所定のサイズ、例えば葉書サイズになるように大きさを調整する（ＳＴ２０８）。
その後、制御部１５は、ＳＴ２０８によりデータ加工部１３で加工済みの画像データを印刷するように印刷部１４に対して命令する。この命令を受けた印刷部１４は、ＳＴ２０６で印刷したシート１０１の表面に、データ加工部１３で加工済みの画像データを印刷して（ＳＴ２０９）、排出口に排出する（ＳＴ２１０）。これにより、ユーザは排出口に排出されたシート１０１を取り出して、切手をシートに貼り付けるなどしてポストなどの郵便受付に差し出すことができる。
なお、制御部１５は、ＳＴ２０９の後に、切手貼付部１７で、シートの裏面の規定箇所に所定の切手を貼り付けて、排出口から排出するようにしてもよい。
【００３４】
一方、ユーザから宛名の印刷をしない旨の入力があると（ＳＴ２０３で無）、制御部１５は、ＳＴ２０４を行わずに、ＳＴ２０２で取得した葉書に関する情報をデータ加工部１３で調整して加工して（ＳＴ２０５）、印刷部１４で無地のシートに印刷させ（ＳＴ２０６）、ＳＴ２０７〜ＳＴ２１０を順次行う。このとき、制御部１５は、ＳＴ２０９を行わせた後に、切手貼付部１７によりシート１０１の規定箇所に所定の切手を貼り付けて、排出口から排出するようにしてもよい。
図７は、ＳＴ２０３で無の場合に、排出口に排出されるシートを模式的に示した図で、（ａ）はシートの表面、（ｂ）はシートの裏面を示した図である。図７に示すように、この場合排出されるシートは、その表面１０３ａには、画像データが印刷されており（図ではこの画像データそのものは示していない。）、裏面１０３ｂには、郵便番号枠や切手貼付欄や宛名欄と通信文書欄との境界線が印刷され、切手貼付部１７により切手１１０が貼り付けられている。
これにより、ユーザは排出口に排出されたシート１０１を取り出し、差出人や受取人の住所及び氏名、郵便番号などを宛名面に記入して、ポストなどの郵便受付に差し出すことができる。
【００３５】
また、ユーザから宛名面が不要である旨の入力があると（ＳＴ２０１で不要）、制御部１５は、ＳＴ２０２〜ＳＴ２０６を行わずに、ＳＴ２０７〜ＳＴ２１０を順次行う。
【００３６】
以上のフローにおいて、例えば、宛名面を印刷するような場合（ＳＴ２０１で有の場合）には、ＳＴ２０２で、情報格納部１６に格納されている料金別納表示マークの情報も取得し、ＳＴ２０５でのデータ加工の際に、この料金別納表示マークのデータも調整されて、ＳＴ２０６でシート１０１の裏面印刷の際に、同時印刷されるようにしてもよい。
【００３７】
（第３の実施形態）
図８は、第３の実施形態に係るプリント装置４０の機能ブロック構成図である。第３の形態に係るプリント装置４０は、第１の形態に係るプリント装置１０と同様に、入出力部１１とデータ取込部１２とデータ加工部１３と制御部１５とを備えている。また、プリント装置１０での印刷部１４の代わりに、印刷部４４を備えている。印刷部４４は、データ加工部１３を必要により介して、データ取込部１２で取り込んだ画像データを印刷して出力する。
印刷部４４には、図１のシート収納部１４ａと同様のシート収納部４４ａが備えられている。このとき、シール収納部４４ａに収納されるシート１００，１０１は、シート１００，１０１の一方の面だけ画像データを印刷するのに適した無地のシートであればよい。また、印刷部４４には、シールを格納したシール格納部４４ｂを備える。このシールは、シート１００，１０１と同様に、好ましくは葉書サイズに予めカットされた形態でも、印刷部４４での印刷の前後において葉書サイズなどにカットされるロール状に巻かれた形態の何れでもよい。シール格納部４４ｂに収納されるシールの表面、すなわち粘着剤が付着していない面は、ボールペンやインクなどで文字や図形や絵などを記入したり印刷してもにじまないで定着できる素材で構成されることが好ましい。なお、粘着剤が付着している面には、別の紙が付着しており、この別の紙を剥がすことで、シールをシート１０１の裏面に貼り付けることができる構成になっている。また、第３の形態においてはシールの表面には、所定の情報、例えば、郵便番号枠、宛名欄と通信文書との境界線、切手貼付欄その他の葉書として必要な情報が印刷されている。つまり、葉書として必要な情報が表面に印刷などされている宛名シールを、シール格納部４４ｂが格納している。
【００３８】
以上のように構成された第３の形態に係るプリント装置４０の利用形態を、情報通信端末２０内に格納されている画像データを印刷する場合を例にとって、図９を参照しつつ説明する。
図９は、第３の形態に係るプリント装置４０の利用形態を示すフロー図である。
先ず、ＳＴ１０１と同様にして、プリンタ装置４０のデータ取込部１２に、情報通信端末２０内の記録媒体２１に格納されている画像データを取り込み（ＳＴ３０１）、取り込んだ画像データのうち、印刷する画像データの選択が終了すると、ＳＴ１０２と同様に、制御部１５は選択された画像データをデータ加工部１３に送り、所定のサイズ、例えば葉書サイズになるように大きさの調整などを行う（ＳＴ３０２）。
次に、制御部１５は、ＳＴ３０２によりデータ加工部１３で加工済みの画像データを無地のシート１０１に印刷するように印刷部４４に命令する。この命令を受けた印刷部４４は、シート収納部４４ａに収納されている無地のシート１０１の表面に対して、加工済みの画像データを印刷する（ＳＴ３０３）。次に、制御部１５は、入出力部１１の画面に、宛名シールが必要か否かの確認表示を行わせ、ユーザに対して操作指示の入力を促す（ＳＴ３０４）。この宛名シールは、画像データを印刷したシート１０１の裏面にユーザにより貼り付けられる。
【００３９】
ここで、宛名シールが必要であるという入力が入出力部１１に対してなされると（ＳＴ３０４で要）、さらに、制御部１５は、入出力部１１の画面に、宛名シールに受取人や差出人の氏名や住所、郵便番号を印刷するか否かの確認表示を行わせる（ＳＴ３０５）。
【００４０】
ＳＴ３０５で印刷する旨の入力があると（ＳＴ３０５で有）、制御部１５は、ＳＴ１０６と同様にして、入出力部１１の画面に、情報通信端末２０の種類や取込方式に関するメニューを表示させ、ユーザに対して、情報通信端末２０内の記録媒体２１に格納されている個人情報を、データ取込部１２に対して送信させるようにする。また制御部１５は同時に、データ取込部１２に対して、情報通信端末２０内の記録媒体２１に格納されている個人情報を受信するように指示する。このとき、個人情報のうち、どの人に関する情報を印刷するかを確定させながら受信するのが好ましい（ＳＴ３０６）。
そして、制御部１５は、データ取込部１２が受け取った各個人情報を、宛名シールに印刷する形式をデータ加工部１３に調整させ、必要に応じて入出力部１１の画面にイメージ表示させてユーザの了解を得るようにする。その後、制御部１５は、データ加工部１３で加工されて調整された各個人情報（宛名）を、印刷部４４のシール収納部４４ｂに格納されている宛名シールの表面に印刷させ（ＳＴ３０７）、プリント装置１０の排出口に、印刷後の宛名シールとＳＴ３０３で印刷したシートとを排出する（ＳＴ３０８）。
これにより、ユーザは排出された宛名シールとシートとを取り出し、シールをシートに貼り付けると共にシールに切手を貼り付ける等してポストなどの郵便受付に差し出すことができる。
【００４１】
一方、ＳＴ３０５で印刷しない旨の入力があると（ＳＴ３０５で無）、ＳＴ３０３で印刷したシートと、印刷部４４のシール収納部４４ｂに格納してある宛名シートとを、プリント装置１０に設けられた排出口に排出する。
【００４２】
図１０は、ＳＴ３０５で無の場合に、排出口から排出される宛名シールとシートを示す図で（ａ）はシートの表面、（ｂ）は宛名シールの表面、（ｃ）はユーザによりシートに宛名シールが貼り付けられた状態の側面を示す図である。
図１０に示すように、排出されるシールの表面１０４ａには、画像データが印刷されており（図ではこの画像データそのものは示していない。）、宛名シールの表面１０４ｂには、郵便番号枠や切手貼付欄や宛名欄と通信文書欄との境界線が印刷されている。図示した宛名シールをシートに貼り付けることにより、シート１０１の裏面が文字などを記入できない場合でも、容易に一種の絵葉書を作成することができる。
これにより、ユーザは排出口に排出されたシート及びシールを取り出し、シールの表面に受取人、差出人の住所や氏名、郵便番号などを記入してシールをシートに貼り付けるとともに、切手をシールに貼り付けるなどしてポストなどの郵便受付に差し出すことができる。
【００４３】
また、ＳＴ３０４で宛名シールが不要という入力が入出力部１１に対してなされると（ＳＴ３０４で不要）、制御部１５は、ＳＴ３０３で印刷したシートのみを、プリント装置４０の排出口に排出して、ユーザに提供する。
【００４４】
以上のように、情報通信端末２０内の記録媒体２１に記録された画像データを所定の大きさにしてシートに印刷し、またこのシートの裏面に貼り付ける宛名シールを提供できるので、ユーザは、宛名シールを画像データが印刷されたシートに貼り付けると共に、シールの所定の欄に切手を貼り付けるなどして、一種の絵葉書として直ちに送付することができるようになる。
【００４５】
（第４の実施形態）
上述した第３の形態を変更して第４の形態とすることもできる。
図１１は、第４の形態に係るプリント装置５０の機能ブロック図である。なお、図８に示したものと同一又は同質のものには同一の符号を付して、その説明を省略する。
プリント装置５０では、図８に示したプリント装置４０の機能ブロックに加えて、情報格納部１６と切手貼付部１７とが備えられている。
情報格納部１６は、例えば、プリント装置５０で印刷して排出したシートとシールを貼付ければポストなどの郵便受付に差し出せるように、郵便番号枠、宛名欄と通信文書欄との境界線として例えば波線など、絵葉書の裏面に印刷されているような、葉書に関する情報を所定の形式に則って印刷できるように格納している。また、料金別納表示マーク、すなわち、印刷部４４により印刷出力されたものの重さに対応して送付料金が別納で支払われていることを示すマークなどもデータとして格納している。これにより、印刷部４４のシール収納部４４ｂには、無地のシールのみを格納しておけばよい。また、プリント装置５０は、第２の形態で説明した切手貼付部１７を備えている。
【００４６】
以上のように構成された第４の形態に係るプリント装置５０の利用形態を、情報通信端末２０内に格納されている画像データを印刷する場合を例にとって説明する。
図１２は、第４の形態に係るプリント装置５０の利用形態を示すフロー図である。図１２に示したステップの内、図９に示したステップと同一又は同様のステップについては、同一の符号を付して説明を省略する。
ＳＴ３０４において、宛名シールが必要であるという入力が入出力部１１に対してなされると（ＳＴ３０４で要）、制御部１５は、情報格納部１６から葉書に関する情報を取得する（ＳＴ４０１）。そして、制御部１５は、入出力部１１の画面に、シールに受取人や差出人の氏名や住所、郵便番号を印刷するか否かの確認表示を行わせる（ＳＴ４０２）。  
【００４７】
ＳＴ４０２で印刷する旨の入力があると（ＳＴ４０２で有）、制御部１５は、ＳＴ１０６と同様にして、入出力部１１の画面に、情報通信端末２０の種類や取込方式に関するメニューを表示させ、ユーザに対して、情報通信端末２０内の記録媒体２１に格納されている個人情報を、データ取込部１２に対して送信させるようにする。また制御部１５は同時に、データ取込部１２に対して、情報通信端末２０内の記録媒体２１に格納されている個人情報を受信するように指示する。このとき、個人情報のうち、どの人に関する情報を印刷するかを確定させながら受信するのが好ましい（ＳＴ４０３）。
そして、制御部１５は、データ取込部１２が受け取った各個人情報を、シールに印刷できる形式になるようにデータ加工部１３に調整させ、必要に応じて入出力部１１の画面にイメージ表示させてユーザの了解を得るようにする。
その後、制御部１５は、データ加工部１３で加工され調整された、葉書に関する情報（宛名面）と各個人情報（宛名）とを、印刷部４４のシール収納部４４ｂに格納されている無地のシールの表面に印刷させ（ＳＴ４０４）、プリント装置１０の排出口に、印刷後のシールとＳＴ３０３で印刷したシートとを排出する（ＳＴ４０５）。このとき、ＳＴ４０５で排出する前に、切手貼付部１７により、印刷後のシールの規定箇所に所定の切手を貼り付けるのが好ましい。これにより、ユーザは排出されたシールとシートとを取り出して、シールをシートに貼り付けるだけでポストなどの郵便受付に差し出すことができる。
【００４８】
一方、ＳＴ４０２で印刷しない旨の入力があると（ＳＴ４０２で無）、制御部１５は、ＳＴ４０１により取得した葉書に関する情報をデータ加工部１３で加工し調整して、葉書に関する情報（宛名面）を、印刷部４４のシール収納部４４ｂに格納されている無地のシールの表面に印刷させ（ＳＴ４０６）、プリント装置１０の排出口に、印刷後のシールとＳＴ３０３で印刷したシートとを排出する（ＳＴ４０７）。このとき、ＳＴ４０７で排出する前に、切手貼付部１７により、印刷後のシールの規定箇所に所定の切手を貼り付けるのが好ましい。
【００４９】
図１３は、ＳＴ４０２で無の場合に、排出口から排出されるシールとシートを示す図で（ａ）はシートの表面、（ｂ）はシールの表面、（ｃ）はユーザによりシートにシールが貼り付けられた状態の側面を示すものである。
図１３に示すように、排出されるシールの表面１０５ａには、画像データが印刷されており（図ではこの画像データそのものは示していない。）、シールの表面１０５ｂには、郵便番号枠や切手貼付欄や宛名欄と通信文書欄との境界線が印刷されている。図示したシールをシートに貼り付けることにより、シート１０１の裏面が文字などを記入できない場合でも、容易に一種の絵葉書を作成することができる。これにより、ユーザは排出されたシールとシートとを取り出し、シールの表面に差出人や受取人の住所及び氏名、郵便番号を記入し、シールをシートに貼り付けるだけで、ポストなどの郵便受付に差し出すことができる。
【００５０】
以上のように、情報通信端末２０内の記録媒体２１に記録された画像データを所定の大きさに加工して印刷したシートと、このシートの裏面に貼り付けるシールとを提供できるので、ユーザは、シールを画像データが印刷されたシートに貼り付けることで、一種の絵葉書を容易に作成することができる。
【００５１】
以上説明した本発明の幾つかの実施の形態は、本発明のほんの一例に過ぎず、特許請求の範囲に記載した発明の範囲内で種々変更が可能である。例えば、切手貼付部１７に代えて、プリント装置に各種の切手を格納する切手格納部を備えしておき、このプリンタ装置でユーザがそれに相当する切手を購入できるようにして、切手をユーザにシートやシールに貼り付けをお願いするようにすることもできる。
また、プリント装置に、住所から郵便番号を特定できるようにして、ユーザから郵便番号の入力や記録媒体からの入手を不要とするようにすることもできる。
【図面の簡単な説明】
【００５２】
【図１】第１の形態に係るプリント装置の機能ブロック構成図である。
【図２】（ａ），（ｂ）は、シート収納部に収納されるシートの各形態を示した図である。
【図３】第１の形態に係るプリント装置の利用形態を示すフロー図である。
【図４】図３のＳＴ１０５で無の場合に排出口に排出されるシートを模式的に示す図で、（ａ）はシートの表面、（ｂ）はシートの裏面を示す。
【図５】第２の形態に係るプリント装置の機能ブロック構成図である。
【図６】第２の形態に係るプリント装置の利用形態を示すフロー図である。
【図７】図６のＳＴ２０３で無の場合に排出口に排出されるシートを模式的に示す図で、（ａ）はシートの表面、（ｂ）はシートの裏面を示す。
【図８】第３の形態に係るプリント装置の機能ブロック構成図である。
【図９】第３の形態に係るプリント装置の利用形態を示すフロー図である。
【図１０】図９のＳＴ３０５で無の場合に排出口に排出されるシート及び宛名シールを模式的に示す図で、（ａ）はシートの表面、（ｂ）は宛名シールの表面、（ｃ）はユーザによりシートに宛名シールが貼り付けられた状態の側面を示している。
【図１１】第４の形態に係るプリント装置の機能ブロック構成図である。
【図１２】第４の形態に係るプリント装置の利用形態を示すフロー図である。
【図１３】図１２のＳＴ４０２で無の場合に排出口に排出されるシート及びシートを模式的に示す図で、（ａ）はシートの表面、（ｂ）はシールの表面、（ｃ）はユーザによりシートにシールが貼り付けられた状態の側面を示す。
【符号の説明】
【００５３】
１０, ３０, ４０, ５０：プリント装置
１１：入出力部
１２：データ取込部
１３：データ加工部
１４, ４４：印刷部
１４ａ, ４４ａ：シート格納部
１５：制御部
１６：情報格納部
１７：切手貼付部
２０：情報通信端末
２１：記録媒体
４４ｂ：シール格納部
１００, １０１：シート
１０２ａ, １０３ａ，１０４ａ，１０５ａ：シートの表面
１０２ｂ，１０３ｂ：シートの裏面
１０４ｂ，１０５ｂ：シールの裏面
１１０：切手
【図１】
2005329575.tif 000003
【図２】
2005329575.tif 000004
【図３】
2005329575.tif 000005
【図４】
2005329575.tif 000006
【図５】
2005329575.tif 000007
【図６】
2005329575.tif 000008
【図７】
2005329575.tif 000009
【図８】
2005329575.tif 000010
【図９】
2005329575.tif 000011
【図１０】
2005329575.tif 000012
【図１１】
2005329575.tif 000013
【図１２】
2005329575.tif 000014
【図１３】
2005329575.tif 000015